(57)【要約】【課題】三相４線式のプラグイン分電盤において安価に量産されているプラグイン式の３極用ブレーカを使用して三相４線の配線を行うことのできるプラグイン分電盤を提供する。【解決手段】電圧極の３本の母線バー２に幅方向より接続するプラグ端子金具５１を備えた３極用ブレーカ５に隣接させてＮ極の母線バー２に接続するプラグ端子金具６１を備えたＮ相モジュール６を配置して、電圧極の３本の母線バー２とＮ極の母線バー２とよりなる三相４線式の配線を行うことを特徴とするプラグイン分電盤。【選択図】  図２
2007288963.tif 000002
【特許請求の範囲】
【請求項１】
電圧極の３本の母線バーに幅方向より接続するプラグ端子金具を備えた３極用ブレーカに隣接させてＮ極の母線バーに接続するプラグ端子金具を備えたＮ相モジュールを配置して、電圧極の３本の母線バーとＮ極の母線バーとよりなる三相４線式の配線を行うことを特徴とするプラグイン分電盤。
【請求項２】
３極用ブレーカの各プラグ端子金具とＮ相モジュールのプラグ端子金具をそれぞれの底面に設け、Ｎ極の母線バーを電圧極の３本の母線バーの外側に配置してこれにＮ相モジュールのプラグ端子金具を対応させた請求項１に記載のプラグイン分電盤。
【請求項３】
Ｎ相モジュールにハンドルにより操作される断路装置を設けた請求項１又は２に記載のプラグイン分電盤。
【請求項４】
プラグイン分電盤の内部レールに固定されるＮ相モジュールに、該Ｎ相モジュールのプラグ端子金具をＮ極の母線バーからの接続を解除した状態で保持させる弾性片を設けた請求項１又は２に記載のプラグイン分電盤。
【発明の詳細な説明】
【技術分野】
【０００１】
本発明は、三相４線式のプラグイン分電盤において３極用ブレーカを使用して三相４線の配線を行うことのできるプラグイン分電盤に関するものである。
【背景技術】
【０００２】
三相４線式の分電盤は、主幹の４極用ブレーカに接続したＲ、Ｓ、Ｔ、Ｎの４本の母線バーの任意の２本又は３本に２極用又は３極用分岐ブレーカの電源側端子と接続することにより単相２線、単相３線、三相３線の電源として負荷に供給することができる（特許文献１参照）ものである。ところが、Ｒ、Ｓ、Ｔ、Ｎの４本の母線バーから他の三相４線式の分電盤に分岐する場合には４極用ブレーカを介して行うことが一般的である。この場合に送り側の分電盤がプラグイン式の場合には分岐用としてプラグイン式の４極用ブレーカを採用する必要がある。
【０００３】
しかし、４極用ブレーカは、需要が少ないため国内で普及し量産化が進んでいる３極用ブレーカに比べて種類が少ない上、高価である。このような４極用ブレーカを分岐ブレーカとした場合には、非常にコスト高な分電盤となるという問題点がある。
【特許文献１】特開平４−５８７９７公開公報（特に、図１参照）
【発明の開示】
【発明が解決しようとする課題】
【０００４】
本発明は前記のような従来の問題点を解決して、三相４線式の分電盤において安価に量産されているプラグイン端子金具を備えた３極用ブレーカを使用して三相４線の配線を行うことのできるプラグイン分電盤を提供することである。
【課題を解決するための手段】
【０００５】
本発明のプラグイン分電盤は、電圧極の３本の母線バーに幅方向より接続するプラグ端子金具を備えた３極用ブレーカに隣接させてＮ極の母線バーに接続するプラグ端子金具を備えたＮ相モジュールを配置して、電圧極の３本の母線バーとＮ極の母線バーとよりなる三相４線式の配線を行うことを特徴とするものを基本の発明とする。
【０００６】
この発明において、３極用ブレーカの各プラグ端子金具とＮ相モジュールのプラグ端子金具をそれぞれの底面に設け、Ｎ極の母線バーを電圧極の３本の母線バーの外側に配置してこれにＮ相モジュールのプラグ端子金具を対応させることが好ましい。また、Ｎ相モジュールにハンドルにより操作される断路装置を設けたり、プラグイン分電盤の内部レールに固定されるＮ相モジュールに、該Ｎ相モジュールのプラグ端子金具をＮ極の母線バーからの接続を解除した状態で保持させる弾性片を設けてもよい。
【発明の効果】
【０００７】
前記した本発明のプラグイン分電盤は、電圧極の３本の母線バーに幅方向より接続するプラグ端子金具を備えた３極用ブレーカに隣接させてＮ極の母線バーに接続するプラグ端子金具を備えたＮ相モジュールを配置したものであるので、電圧極と接続する遮断機能のある３極用ブレーカと特に遮断機能を必要としないＮ相モジュールとを一組として４極用ブレーカと同様の機能を持つこととなるから、他の三相４線式の分電盤に回路を遮断できるように分岐配線をすることができると共に３極用ブレーカとＮ相モジュールとを一組として引込電線を接続すれば４極の主幹ブレーカとして使用できるものである。このように、安価に量産できる３極用ブレーカとＮ相モジュールを採用することにより製造コストを安くできるプラグイン分電盤を提供することができる。
【０００８】
また、３極用ブレーカの各プラグ端子金具とＮ相モジュールのプラグ端子金具をそれぞれの底面に設け、Ｎ極の母線バーを電圧極の３本の母線バーの外側に配置してこれにＮ相モジュールのプラグ端子金具を対応させるものとすると、プラグ端子金具と母線バーとの接続作業が容易であり、また、電圧極の母線バーとＮ極の母線バーとの識別が容易なものである。
【０００９】
さらに、Ｎ相モジュールにハンドルにより操作される断路装置を設けたり、プラグイン分電盤の内部レールに固定されるＮ相モジュールに、該Ｎ相モジュールのプラグ端子金具をＮ極の母線バーからの接続を解除した状態で保持させる弾性片を設けることにより、Ｎ相モジュールの回路を遮断でき保守・点検時により安全に作業できるものである。
【発明を実施するための最良の形態】
【００１０】
次に、本発明の好ましい第１の実施の形態を図に基づき説明する。
図１において、１はプラグイン分電盤のキャビネットであり、該キャビネット１の  背面板１１にＲ、Ｓ、Ｔ、Ｎの４本の母線バー２がその幅方向をキャビネット１の開口に向けて、互いに平行に配置されている。母線バー２のうち電圧極のＲ、Ｓ、Ｔ、の３本の母線バー２は背面板１１に間隔をおいて配置した取付バー１２の前面に取り付けた絶縁材よりなる第１のバーホルダー１２ａに支持されている。
【００１１】
そして、Ｒ、Ｓ、Ｔ、の３本の母線バー２の両側には一対の内部レール３、３が配置されている。また、一方の内部レールの外側に取付バー１２に取り付けた第２のバーホルダー１２ｂが位置しており、この第２のバーホルダー１２ｂに中性極であるＮ極の母線バー２が支持されて電圧極の３本の母線バー２の外側に配置したものとされている。このような母線バー２の配置により電圧極の母線バー２とＮ極の母線バー２との識別が容易なものである。また、Ｎ極の母線バー２の外側には第２の内部レール３ａが設けられている。      
【００１２】
４は前記Ｒ、Ｓ、Ｔ、Ｎの４本の母線バー２に電源を供給する主幹の４極用ブレーカであり、該４極用ブレーカ４は背面板１１の上部に設置して負荷側の４極の端子を接続バー４１を介して各母線バー２と接続している。なお、主幹の４極用ブレーカは必要がなければ、特に設ける必要がなく、外部からの引込電線が直接母線バー２に接続したものとしてもよい。
【００１３】
図１３に示す、５は３極用ブレーカであり、該３極用ブレーカ５は電圧極の３本の母線バーに幅方向より接続するプラグ端子金具５１を備えたものである。この３極用ブレーカ５は、図１４、図１５に示すように底面にバネ板よりなるクリップ状のプラグ端子金具５１を備えたプラグインアダプタ５０にねじ式の３極用ブレーカを搭載して該ねじ式の３極用ブレーカの一次側端子をプラグ端子金具５１と接続バー、被覆電線等により電気的に接続して構成されたものである。
【００１４】
また、このプラグインアダプタ５０の底面には図１５、図１６に示すように母線バー２が介入できる切込５２ａを形成したプラグ端子金具５１を囲装する保護壁５２ｂを設けたサブベース５２が取り付けらており、作業者がプラグ端子金具５１に設けた挟持力を強めるリング状のばね金具５１ａに触れて該ばね金具５１ａを離脱することがないものとしている。なお、３極用ブレーカ５は底面にプラグ端子金具５１を直接備えたプラグイン式のものであってもよいことは勿論である。
【００１５】
そして、該３極用ブレーカ５はプラグ端子金具５１に電圧極の３本の母線バー２を幅方向より挟み込むように接続し、負荷側端子５ａをＮ極の母線バー２とは反対側に位置させて前記一対の内部レール３、３の上端にネジ止めして取り付けられている。
【００１６】
６は前記３極用ブレーカ５に隣接させて配置してＮ極の母線バー２が接続するプラグ端子金具６１を備えたＮ相モジュールである。このＮ相モジュール６は、電圧極の３本の母線バー２の外側に配置したＮ極の母線バー２に対応させて底面にプラグ端子金具６１を設けたものとしている。そして、この底面に設けたプラグ端子金具６１と前記３極用ブレーカ５の負荷側端子５ａと対応する箇所に設けた負荷側端子６ａとをＮ相モジュール６のケース６０内により線により接続している。また、ケース６０は底面を開放させたものとして天板面に放熱用の孔を設けて母線バー２の発熱を逃がす構成としてもよい。
【００１７】
このように、電圧極の３本の母線バー２に幅方向より接続するプラグ端子金具５１を備えた３極用ブレーカ５に隣接させてＮ極の母線バー２と接続するプラグ端子金具６１を備えたＮ相モジュール６を配置したものであるので、電圧極と接続する遮断機能のある３極用ブレーカ５と特に遮断機能を必要としないＮ相モジュール６とを一組として４極用ブレーカの同様の機能を持つこととなるから、図１２に示すように、これから分岐した他の三相４線式のプラグイン分電盤（Ａ）との回路を遮断して保守・点検を行うことができるものである。また、安価に量産できる３極用ブレーカ５とＮ相モジュール６を採用することにより製造コストを安くできるプラグイン分電盤を提供することができる。また、３極用ブレーカ５の各プラグ端子金具５１とＮ相モジュール６のプラグ端子金具６１をそれぞれの底面に設けたものとしているので、３極用ブレーカ５又はＮ相モジュール６を内部レール３、３及び３ａに取り付ける際にプラグ端子金具５１又はプラグ端子金具６１が同時に母線バー２と接続するので接続作業が容易なものである。
【００１８】
また、Ｎ相モジュール６をＮ極の母線バー２と断路する手段として、図１１に示すようにＮ相モジュール６にハンドル７により操作される断路装置を設けてもよい、さらに、断路装置はこのＮ相モジュール６と隣接する対となる３極用ブレーカ５のハンドル操作によりリンク機構と連動して開閉できるものとしてもよい。また、プラグ端子金具６１と負荷側端子６ｂとの間に断路装置を設けていない図２−図１０に示すＮ相モジュールにあっては、Ｎ相モジュール６のプラグ端子金具６１をＮ極の母線バー２との接続を解除して母線バーからの断路を行うものである。この場合に図７−図１０に示すようにＮ相モジュール６を内部レール３から完全に離脱することなく母線バー２との接続を解除した状態を保持させるものとして、内部レール３、３ａの前端と係合する弾性片６２、６２をＮ相モジュール６の長手方向の両端に設けている。これにより、Ｎ相モジュール６の回路を断路ができ保守・点検時に安全に作業できるものである。
【００１９】
なお、図１７に示すようにＮ極の母線バー２が３極用ブレーカ５及びＮ相モジュール６の負荷側端子５ａ、６ａが臨む位置に配置してもよい、この場合にはＮ相モジュール６は負荷側端子６ａの下方底面にプラグイン端子金具６１を設けたものとなる。
【００２０】
さらに、図１８、図１９に示すようにＮ極母線バー２を電圧極の母線バー２の間例えばＲ極とＳ極の間に配置してもよい。この場合には電圧極とＮ極の間は絶縁を確保するため、絶縁壁を設ける等の絶縁処理を行うものとする。また、Ｎ極母線バー２を３本の電圧極の各間に２本配設したものとすると、負荷側端子を分電盤の右側と左側に選択して配置することができるものである。これにより分電盤の幅方向を小さく形成することができるという利点がある。
【００２１】
図２０に示すプラグイン分電盤は、本発明の第２の実施形態を示すものであり、第１の実施形態と同様の部分は同じ符号を付して説明を省略する。
この実施形態では、遮断機能を有した３極用ブレーカ８０と、遮断機能を有しないＮ相モジュール９０とが一組で４極の主幹ブレーカとしての機能しており、分岐配線が接続される３極用ブレーカ５及びＮ相モジュール６と同列の母線バー２の最上部に配置されている。
【００２２】
そして、最上部の３極用ブレーカ８０の負荷側端子８０ａがプラグインアダプタ５０を介して分電盤の母線バー２に接続されると共に、電源側端子８０ｂに分電盤外部からの引込配線が接続されている。すなわち、３極用ブレーカ８０は分岐配線を行う３極用ブレーカ５とは逆向きにプラグインアダプタ５０に取り付けられたものである。また、Ｎ相モジュール９０は分岐配線が接続されるＮ相モジュール６と全く同一のものであるが、その端子部９０ｂは分電盤外部からの引込配線と接続されている。
【００２３】
このようなプラグイン分電盤にあっては、主幹ブレーカとして４極用ブレーカを設けずとも、遮断機能を有した３極用ブレーカ８０と遮断機能を有しないＮ相モジュール９０との組み合せにより４極の主幹ブレーカとして機能するものであり、さらに、プラグイン分電盤の製造コストを安価にできる利点を有する。
【００２４】
なお、上記のいずれの実施形態においても、他の分電盤に三相４線式の配線を行うだけでなく、従来と同様に３極用ブレーカにより三相３線式の電源を負荷供給できると共に、２極用ブレーカとＮ相モジュールを一組として単相３線式の電源を負荷供給することができるプラグイン分電盤として使用できることは勿論である。
【図面の簡単な説明】
【００２５】
【図１】本発明の第１の実施形態を示す正面図である。
【図２】本発明の第１の実施形態の要部を示す斜視図。
【図３】図２とは逆方向から示す斜視図。
【図４】本発明の第１の実施形態の要部を示す側面図。
【図５】図４とは逆方向から示す側面図。
【図６】本発明の第１の実施形態の要部を示す正面図。
【図７】Ｎ相モジュールのプラグ端子金具をＮ極の母線バーとの接続を解除した状態を示す側面図。
【図８】図７とは逆方向から示す側面図。
【図９】Ｎ相モジュールのプラグ端子金具をＮ極の母線バーとの接続を解除した状態を示す斜視図。
【図１０】図９とは逆方向から示す斜視図。
【図１１】ハンドルにより操作される断路装置を設けたＮ相モジュールを使用した斜視図。
【図１２】他の三相４線式の分電盤に分岐した状態を示すように正面図。
【図１３】本発明の実施形態に使用する３極用ブレーカを示す斜視図。
【図１４】本発明の実施形態に使用する３極用ブレーカを示す底面側から示す斜視図。
【図１５】本発明の実施形態に使用する３極用ブレーカとサブベースを示す斜視図。
【図１６】３極用ブレーカにサブベースを組込んだ底面側から示す斜視図。
【図１７】Ｎ極の母線バーを３極用ブレーカ及びＮ相モジュールの負荷側端子が臨む位置に配置した状態を示す斜視図。
【図１８】Ｎ極母線バーを電圧極の母線の間に配置した実施形態を示す正面図。
【図１９】Ｎ極母線バーを電圧極の母線の間に配置した実施形態を示す斜視図。
【図２０】本発明の第２の実施形態を示す正面図である。
【符号の説明】
【００２６】
２  母線バー
３  内部レール
3a  内部レール
５  ３極用ブレーカ
51  プラグ端子金具
６  Ｎ相モジュール
61  プラグ端子金具
７  ハンドル
【図１】
2007288963.tif 000003
【図２】
2007288963.tif 000004
【図３】
2007288963.tif 000005
【図４】
2007288963.tif 000006
【図５】
2007288963.tif 000007
【図６】
2007288963.tif 000008
【図７】
2007288963.tif 000009
【図８】
2007288963.tif 000010
【図９】
2007288963.tif 000011
【図１０】
2007288963.tif 000012
【図１１】
2007288963.tif 000013
【図１２】
2007288963.tif 000014
【図１３】
2007288963.tif 000015
【図１４】
2007288963.tif 000016
【図１５】
2007288963.tif 000017
【図１６】
2007288963.tif 000018
【図１７】
2007288963.tif 000019
【図１８】
2007288963.tif 000020
【図１９】
2007288963.tif 000021
【図２０】
2007288963.tif 000022